(57)【特許請求の範囲】
【請求項１】
表示装置であって、
映像を表示する表示パネルを備え、
前記表示パネルは、
第１基板と、
第２基板とを含み、
前記第１基板は、
前記映像を表示するための表示領域が設けられた主面と、
前記第１基板において、前記主面と反対側に設けられる裏面とを有し、
前記第２基板は、前記第１基板の前記裏面に固定され、
前記表示パネルは、さらに、
平面視において、前記表示領域を囲むように設けられる遮光部材を含み、
前記表示装置は、さらに、
前記表示パネルを保持する筐体を備え、
前記表示装置は、前記第２基板に前記筐体を固定させるための固定構造を有し、
前記固定構造は、平面視において、前記表示パネルのうち、前記遮光部材が存在する領域のみに設けられ、
前記筐体は、平面視において、前記表示パネルのうち、前記遮光部材が存在する領域のみに設けられ、
平面視において、前記第２基板の側面は、前記第１基板の側面より、前記表示領域に近く、
前記遮光部材は、前記第１基板の前記裏面に設けられ、
前記固定構造は、
前記筐体が、第１接着部材を介して、前記第２基板の側面に接着される構造と、
前記筐体が、第２接着部材を介して、前記遮光部材に接着される構造とを有する
表示装置。
【請求項２】
表示装置であって、
映像を表示する表示パネルを備え、
前記表示パネルは、
第１基板と、
第２基板とを含み、
前記第１基板は、
前記映像を表示するための表示領域が設けられた主面と、
前記第１基板において、前記主面と反対側に設けられる裏面とを有し、
前記第２基板は、前記第１基板の前記裏面に固定され、
前記表示パネルは、さらに、
平面視において、前記表示領域を囲むように設けられる遮光部材を含み、
前記表示装置は、さらに、
前記表示パネルを保持する筐体を備え、
前記表示装置は、前記第２基板に前記筐体を固定させるための固定構造を有し、
前記固定構造は、平面視において、前記表示パネルのうち、前記遮光部材が存在する領域のみに設けられ、
前記筐体は、平面視において、前記表示パネルのうち、前記遮光部材が存在する領域のみに設けられ、
前記筐体は、前記第２基板の側面と対向する面である基板対向面を有し、
前記第２基板の側面には、凹部が設けられ、
前記筐体の前記基板対向面には、前記凹部と篏合する突起が設けられ、
前記固定構造は、
前記突起が前記凹部に篏合する構造を有する
表示装置。
【請求項３】
前記遮光部材は、前記第１基板の前記裏面に設けられ、
前記固定構造は、
前記筐体が、接着部材を介して、前記遮光部材に接着される構造を有する
請求項２に記載の表示装置。
【請求項４】
表示装置であって、
映像を表示する表示パネルを備え、
前記表示パネルは、
第１基板と、
第２基板とを含み、
前記第１基板は、
前記映像を表示するための表示領域が設けられた主面と、
前記第１基板において、前記主面と反対側に設けられる裏面とを有し、
前記第２基板は、前記第１基板の前記裏面に固定され、
前記表示パネルは、さらに、
平面視において、前記表示領域を囲むように設けられる遮光部材を含み、
前記表示装置は、さらに、
前記表示パネルを保持する筐体を備え、
前記表示装置は、前記第２基板に前記筐体を固定させるための固定構造を有し、
前記固定構造は、平面視において、前記表示パネルのうち、前記遮光部材が存在する領域のみに設けられ、
前記筐体は、平面視において、前記表示パネルのうち、前記遮光部材が存在する領域のみに設けられ、
前記第２基板の端部には、凹部が設けられ、
前記固定構造は、
前記筐体が、接着部材を介して、前記第２基板の前記凹部に接着される構造を有する
表示装置。
【発明の詳細な説明】
【技術分野】
【０００１】
本発明は、遮光部材を使用した構成を有する表示装置に関する。
【背景技術】
【０００２】
近年の情報電子機器の普及に伴い、薄型、軽量、狭額縁等の特徴を有する表示装置が、様々な分野で使用されている。当該表示装置は、例えば、携帯電話のディスプレイ、または、ＰＣ（Personal Computer）用のディスプレイとして使用されている。また、当該表示装置は、例えば、産業用途で使用される各種の装置のディスプレイ、車載の表示器、ハンディ端末のディスプレイ、または、広告表示器として使用されている。
【０００３】
上記の表示装置の構造は、例えば、２枚の基板を利用して構成される表示パネルを、筐体により保持する構造（以下、「構造Ｎ」という）である。特許文献１および特許文献２では、構造Ｎを有する表示装置が開示されている。
【０００４】
以下においては、特許文献１に開示されている技術を、「関連技術Ａ」ともいう。また、以下においては、特許文献２に開示されている技術を、「関連技術Ｂ」ともいう。
【先行技術文献】
【特許文献】
【０００５】
【特許文献１】特開平８−１５２６１１号公報
【特許文献２】特開２０１４−２１１５７５号公報
【発明の概要】
【発明が解決しようとする課題】
【０００６】
構造Ｎを有する表示装置では、映像を表示するための表示領域の周辺部（額縁）には、遮光部材が設けられる。近年では、遮光部材が設けられる、表示領域の周辺部（額縁）の狭小化を実現可能な構成を有する表示装置が要求されている。なお、関連技術Ａ，Ｂでは、当該要求を満たすことができない。
【０００７】
本発明は、このような問題を解決するためになされたものであり、遮光部材が設けられる、表示領域の周辺部の狭小化を実現可能な構成を有する表示装置を提供することを目的とする。
【課題を解決するための手段】
【０００８】
上記目的を達成するために、本発明の一態様に係る表示装置は、映像を表示する表示パネルを備え、前記表示パネルは、第１基板と、第２基板とを含み、前記第１基板は、前記映像を表示するための表示領域が設けられた主面と、前記第１基板において、前記主面と反対側に設けられる裏面とを有し、前記第２基板は、前記第１基板の前記裏面に固定され、前記表示パネルは、さらに、平面視において、前記表示領域を囲むように設けられる遮光部材を含み、前記表示装置は、さらに、前記表示パネルを保持する筐体を備え、前記表示装置は、前記第２基板に前記筐体を固定させるための固定構造を有し、前記固定構造は、平面視において、前記表示パネルのうち、前記遮光部材が存在する領域のみに設けられ、前記筐体は、平面視において、前記表示パネルのうち、前記遮光部材が存在する領域のみに設けられ、平面視において、前記第２基板の側面は、前記第１基板の側面より、前記表示領域に近く、前記遮光部材は、前記第１基板の前記裏面に設けられ、前記固定構造は、前記筐体が、第１接着部材を介して、前記第２基板の側面に接着される構造と、前記筐体が、第２接着部材を介して、前記遮光部材に接着される構造とを有する。
【発明の効果】
【０００９】
本発明によれば、遮光部材は、平面視において、前記表示領域を囲むように設けられる。前記表示装置は、前記第２基板に前記筐体を固定させるための固定構造を有する。前記固定構造は、平面視において、前記表示パネルのうち、前記遮光部材が存在する領域のみに設けられる。
【００１０】
これにより、前記遮光部材の幅を狭くすることにより、前記表示領域の周辺部の幅を狭くすることができる。すなわち、遮光部材が設けられる、表示領域の周辺部の狭小化を実現可能な構成を有する表示装置を提供することができる。
【図面の簡単な説明】
【００１１】
【図１】本発明の実施の形態１に係る表示装置の分解斜視図である。
【図２】本発明の実施の形態１に係る表示装置の平面図である。
【図３】図２のＡ１−Ａ２線に沿った、表示装置の断面図である。
【図４】本発明の実施の形態２に係る表示装置の構成を示す断面図である。
【図５】本発明の実施の形態３に係る表示装置の構成を示す断面図である。
【発明を実施するための形態】
【００１２】
以下、図面を参照しつつ、本発明の実施の形態について説明する。以下の図面では、同一の各構成要素には同一の符号を付してある。同一の符号が付されている各構成要素の名称および機能は同じである。したがって、同一の符号が付されている各構成要素の一部についての詳細な説明を省略する場合がある。
【００１３】
なお、実施の形態において例示される各構成要素の寸法、材質、形状、当該各構成要素の相対配置などは、本発明が適用される装置の構成、各種条件等により適宜変更されてもよい。また、各図における各構成要素の寸法は、実際の寸法と異なる場合がある。
【００１４】
＜実施の形態１＞
（表示装置の全体の構成）
図１は、本発明の実施の形態１に係る表示装置１００の分解斜視図である。表示装置１００は、例えば、液晶を利用して映像を表示する液晶表示装置である。なお、表示装置１００は、液晶表示装置に限定されず、他の方式の表示装置であってもよい。表示装置１００は、例えば、有機ＥＬ（Electroluminescence）ディスプレイであってもよい。
【００１５】
図１において、Ｘ方向、Ｙ方向およびＺ方向の各々は、互いに直交する。以下の図に示されるＸ方向、Ｙ方向およびＺ方向の各々も、互いに直交する。以下においては、Ｘ方向と、当該Ｘ方向の反対の方向（−Ｘ方向）とを含む方向を「Ｘ軸方向」ともいう。また、以下においては、Ｙ方向と、当該Ｙ方向の反対の方向（−Ｙ方向）とを含む方向を「Ｙ軸方向」ともいう。また、以下においては、Ｚ方向と、当該Ｚ方向の反対の方向（−Ｚ方向）とを含む方向を「Ｚ軸方向」ともいう。
【００１６】
また、以下においては、Ｘ軸方向およびＹ軸方向を含む平面を、「ＸＹ面」ともいう。また、以下においては、Ｘ軸方向およびＺ軸方向を含む平面を、「ＸＺ面」ともいう。また、以下においては、Ｙ軸方向およびＺ軸方向を含む平面を、「ＹＺ面」ともいう。
【００１７】
図１を参照して、表示装置１００は、表示パネル１０と、光源装置２０と、筐体３と、回路基板４とを備える。
【００１８】
光源装置２０は、光を出射する装置である。光源装置２０は、表示パネル１０の背面へ光を照射する。筐体３の内部には、表示パネル１０および光源装置２０が配置される。筐体３は、開口３Ｈを有する。なお、図１では、図の簡略化のため、開口３Ｈを介して見える、表示パネル１０の一部の記載は省略している。
【００１９】
表示パネル１０は、例えば、液晶パネルである。表示パネル１０は、光源装置２０が出射する光を使用して映像を表示する。なお、表示パネル１０のうち映像を表示する面側には、タッチパネル（図示せず）が設けられる。タッチパネルは、ユーザによるタッチ操作を受け付けるためのパネルである。
【００２０】
また、タッチパネルの表面には、透明の保護部材が設けられる。当該保護部材は、タッチパネルを保護する板である。保護部材は、表示パネル１０のうち映像を表示する面側に設けられる。なお、回路基板４の表面には、当該回路基板４を保護するためのカバーが設けられてもよい。
【００２１】
次に、表示装置１００を構成する上記各部材についてさらに詳細に説明する。
【００２２】
（表示パネル）
表示パネル１０は、透過型または半透過型の液晶パネルである。表示パネル１０は、液晶の複屈折性を応用して映像を表示する。表示パネル１０は、基板１１と、基板１２と、駆動用ＩＣ（Integrated Circuit）１３とを含む。
【００２３】
基板１１は、ガラスなどの絶縁性基板上にカラーフィルタ、遮光層、対向電極等が形成された基板である。基板１２は、ガラスなどの絶縁性基板上にスイッチング素子を利用した画素電極等が行列状に配置された基板である。当該スイッチング素子は、薄膜トランジスタ（Thin Film Transistor）である。以下、薄膜トランジスタを、単に、「ＴＦＴ」ともいう。基板１１，１２の各々は、透光性を有する。
【００２４】
なお、図１において、基板１１および基板１２は、簡略化して示されている。そのため、図１における、基板１１，１２の各々の形状およびサイズは正確ではない。基板１１，１２の各々の、正確な形状およびサイズについては、後述する。
【００２５】
駆動用ＩＣ１３は、基板１２の周縁部、または、基板１２の周縁部に接続されたテープ状の配線材料上に配置される。駆動用ＩＣ１３の配置には、ＴＣＰ（Tape Carrier Package）、ＣＯＦ（Chip On Film）等の実装技術が使用される。
【００２６】
また、表示パネル１０は、さらに、図示しない、スペーサ、遮光部材Ｘ１、シール材ＳＬ１、液晶、封止材、配向膜、偏光板等を含む。スペーサは、基板１１と基板１２との間隔を保持する。
【００２７】
遮光部材Ｘ１は、光を透過させない部材で構成される。遮光部材Ｘ１は、例えば、ブラック・マトリクスである。平面視（ＸＹ面）における、遮光部材Ｘ１の形状は、閉ループ状（枠状）である。
【００２８】
シール材ＳＬ１は、基板１１と基板１２とを貼り合わせるための部材である。平面視（ＸＹ面）における、シール材ＳＬ１の形状は、閉ループ状（枠状）である。液晶は、基板１１と基板１２との間に設けられる。封止材は、液晶を封止する部材である。封止材には、液晶を注入する注入口が設けられる。配向膜は、液晶を配向させる膜である。偏光板は、基板１１および基板１２の外側の面上に配置される。
【００２９】
（光源装置）
光源装置２０は、基板１２側から、表示パネル１０へ光を照射する。光源装置２０は、光源２５と、導光板２３と、光学シート部２２と、反射シート２４と、筐体２１Ｆと、筐体２１Ｂと、光源基板２６とを含む。
【００３０】
光源２５は、光を出射する。導光板２３は、光源２５が出射した光を特定の方向へ導く。導光板２３は、光を光学シート部２２へ導くための部材である。具体的には、導光板２３は、出射面２３ａと、反出射面２３ｂと，側面２３ｓとを有する。出射面２３ａは、光が出射される面である。反出射面２３ｂは、導光板２３のうち出射面２３ａと反対側の面である。
【００３１】
光源２５が出射する光は、導光板２３の側面２３ｓを介して、導光板２３の内部に伝搬する。導光板２３の内部に伝搬した光は、出射面２３ａからＺ方向へ出射される。すなわち、導光板２３は、光源２５が出射する光を出射面２３ａから出射する。なお、表示パネル１０は、導光板２３の出射面２３ａ側に設けられる。
【００３２】
光学シート部２２は、導光板２３の出射面２３ａ上に設けられる。光学シート部２２は、複数の光学シート２から構成される。なお、光学シート部２２は、１枚の光学シート２から構成されてもよい。光学シート２は、映像の表示のために使用される、出射面２３ａ（光源２５）が出射する光を透過させる。
【００３３】
また、光学シート部２２は、導光板２３から出射された光の分布および広がりを制御する。光学シート部２２は、出射面２３ａから出射される光を、表示パネル１０へ出射する。表示パネル１０は、出射面２３ａから出射される光を使用して映像を表示する。
【００３４】
反射シート２４は、導光板２３のうち、反出射面２３ｂ側に設けられる。反射シート２４は、光を反射させるシートである。反射シート２４の存在により、導光板２３から−Ｚ方向へ出射した光は、反射シート２４に反射して、再び、導光板２３に入射する。
【００３５】
光源２５、導光板２３、光学シート部２２および反射シート２４は、筐体２１Ｂに収容される。なお、反射シート２４は、筐体２１Ｂの底面に設けられる。導光板２３は、反射シート２４上に設けられる。これにより、導光板２３のＺ軸方向の位置は、筐体２１Ｂの底面、および、反射シート２４により固定される。
【００３６】
筐体２１Ｂは、光源装置２０の背面側に設けられる背面筐体である。筐体２１Ｆは、光学シート部２２を覆うように設けられる。筐体２１Ｆは、光源装置２０の前面側に設けられる前面筐体である。筐体２１Ｆは、光を透過させない部材で構成される。
【００３７】
光源２５は、白色光を出射する点状光源である。光源２５は、ＬＥＤ（Light Emitting Diode）、レーザーダイオード（Laser Diode）等である。なお、光源２５は、赤色光（Ｒ），緑色光（Ｇ）および青色光（Ｂ）を出射する光源であってもよい。また、光源２５は、ＲＧＢ以外の色の光を出射する光源であってもよい。
【００３８】
光源２５は、光源基板２６に実装される。光源基板２６は、一般的なガラスエポキシ樹脂をベースに構成された基板、フレキシブルなフラットケーブルを使用した基板等である。なお、光源基板２６は、放熱性を高めるために、金属（例えば、アルミ等）、セラミック等をベースに構成された基板であってもよい。
【００３９】
なお、光源２５は、光源基板２６に実装された点状光源に限定されず、蛍光管ランプ等の線状光源で構成されてもよい。
【００４０】
導光板２３は、透明なアクリル樹脂、ポリカーボネート樹脂、ガラス等で構成される。導光板２３の出射面２３ａおよび反出射面２３ｂの両方または一方には、散乱用ドットパターン、プリズム形状部等が形成される。散乱用ドットパターン、プリズム形状部等は、光を出射させるとともに、面内の光の強度分布、光の出射方向を調整するためのものである。
【００４１】
また、導光板２３上には、光の強度分布、光の出射角を調整するために、光学シート部２２が配置されている。
【００４２】
光学シート部２２は、目的に応じて、レンズシート、拡散シート、視野角調整シート等が、必要な枚数だけ配置されて構成される。当該レンズシートは、集光を行うためのシートである。拡散シートは、光の均一化を行うためのシートである。視野角調整シートは、視野角の方向における輝度を調整するためのシートである。すなわち、光学シート部２２を構成する各光学シート２は、レンズシート、拡散シートおよび視野角調整シート等のいずれかである。
【００４３】
筐体２１Ｆは、開口Ｈ１を有する。開口Ｈ１は、導光板２３の出射面２３ａから出射される光の経路となる。筐体２１Ｆの上面の周縁には、表示パネル１０が搭載されるとともに、位置決めされている。これにより、表示パネル１０は、筐体２１Ｆに保持される。筐体２１Ｆを構成する材料は、アルミニウム、ステンレス、鉄等の金属、ＰＣ（ポリカーボネート）、ＡＢＳ（アクリロニトリルブタジエンスチレン）等の樹脂材料等である。
【００４４】
筐体２１Ｂには、光源２５および光源基板２６が位置決めされている。すなわち、筐体２１Ｂは、光源２５および光源基板２６を保持する。光源２５から放出される熱を伝導させるためには、筐体２１Ｂが熱伝導性が高い金属を使用して構成されることが望ましい。そのため、筐体２１Ｂは、特に、熱伝導性が高いアルミまたはアルミ合金で構成される。この構成により、筐体２１Ｂは、効率よく光源２５からの熱を拡散でき、光源２５の温度を下げることが出来る。これにより、光源装置２０に熱がこもることを防止することができる。
【００４５】
筐体２１Ｆは、ツメ状の固定構造、ネジ止め等により、筐体２１Ｂに固定される。当該ツメ状の固定構造とは、筐体２１Ｆおよび筐体２１Ｂの各々に設けられたツメ状の突起部が、互いに係合する構造である。筐体２１Ｆが筐体２１Ｂに固定されることにより、筐体２１Ｆおよび筐体２１Ｂにより、光学シート部２２、導光板２３、反射シート２４等が保持される。なお、筐体２１Ｆおよび筐体２１Ｂは、一体化されてもよい。
【００４６】
（筐体）
筐体３は、枠状の部材である。筐体３は、表示パネル１０、光源装置２０、タッチパネル（図示せず）、保護部材（図示せず）等を保持する。筐体３は、薄板の金属、樹脂成型品等により構成される。筐体３は、ツメ状の固定構造、ネジ止め等により、光源装置２０の筐体２１Ｂと固定される。当該ツメ状の固定構造とは、筐体３および筐体２１Ｂの各々に設けられたツメ状の突起部が、互いに係合する構造である。
【００４７】
筐体３は、一体で形成してもよいし、複数の部材を組み合わせることにより構成してもよい。また、筐体３の側面、正面、背面、あるいは周縁部等に、最終製品への取り付け部（ネジ、取付穴等）を設けてもよい。
【００４８】
（回路基板）
回路基板４は、表示パネル１０および光源２５を電気的な入出力信号により制御する。回路基板４は、通常、ガラスエポキシ等に銅パターンが形成され、当該ガラスエポキシの表面に電子部品がハンダにより実装されて構成される。回路基板４は、主に光源装置２０の裏面側（光が出射されない側）に配置（固定）される。
【００４９】
なお、回路基板４は、ＦＰＣ（Flexible Printed Circuits）上に電子部品を実装することにより、構成されても良い。当該ＦＰＣは、例えば、表示パネル１０に接続されたフィルム状の基材に配線を形成したものである。
【００５０】
また、回路基板４を、外部からの圧力、静電気から保護するために、回路基板４に、保護カバー（図示せず）を取り付けても良い。当該保護カバーは、アルミニウム、ステンレス、亜鉛めっき鋼板等の金属、ＰＥＴ（PolyEthylene Terephthalate）等のフィルム状の薄い樹脂等から成る。
【００５１】
なお、金属製の保護カバーを使用する場合、回路基板４と、当該回路基板４上の電子部品との電気的接触を避けるために、回路基板４には、ＰＥＴ等の樹脂製シートが貼り付けられる。これにより、絶縁対策を行うことができる。
【００５２】
（タッチパネル）
タッチパネル（図示せず）は、透明基板と、当該透明基板上に形成された透明電極による回路とにより構成される。タッチパネルは、上記回路により、外部（使用者）から入力された位置座標に関する情報を電気信号に変換する。そして、タッチパネルは、当該電気信号を、タッチパネルの端部に接続された出力配線部を介して最終製品の制御回路へ伝達する。
【００５３】
出力配線部には、薄さと柔軟性による接続の自由度から、フィルム状の基材に配線を形成したＦＰＣ（Flexible Printed Circuits）が用いられる。なお、出力配線部は、ＦＰＣに限定されず、同等の機能、特性を有するものであれば、異なる材料、異なる構造から成るものでもよい。
【００５４】
（保護部材）
保護部材（図示せず）は、タッチパネルの入力面に対する加圧、接触等による損傷、タッチパネルの変形、磨耗、汚れ等を防止するための板である。保護部材は、表示パネル１０のうち映像を表示する面側に設けられる。保護部材は、ガラス、プラスチック等の透明材料から構成される。なお、保護部材の表面または裏面の周縁部には、遮光あるいは意匠上の目的により、印刷により処理が施されてもよい。
【００５５】
（特徴的な構成）
次に、本実施の形態における特徴的な構成（以下、「特徴構成Ｃｔ１」ともいう）について詳細に説明する。図２は、本発明の実施の形態１に係る表示装置１００の平面図である。なお、図２では、特徴構成Ｃｔ１を分かり易くするために、基板１１，１２、筐体２１Ｆのみを示している。すなわち、図２では、表示装置１００に含まれる構成の一部（例えば、筐体３）を示していない。
【００５６】
図３は、図２のＡ１−Ａ２線に沿った、表示装置１００の断面図である。図３では、特徴構成Ｃｔ１を分かり易くするために、表示装置１００に含まれる構成の一部（例えば、光源装置２０）を簡略化して示している。また、図３では、構成を分かり易くするために、表示装置１００に含まれる構成の別の一部（例えば、筐体３）を示していない。
【００５７】
図２および図３を参照して、表示装置１００は、表示領域Ｒｇ１と周辺領域Ｒｇ２とを有する。表示領域Ｒｇ１は、映像を表示するための領域である。周辺領域Ｒｇ２は、表示領域Ｒｇ１を囲むように設けられる。周辺領域Ｒｇ２の形状は、閉ループ状（枠状）である。
【００５８】
基板１１は、主面１１ａと、裏面１１ｂとを有する。主面１１ａには、表示領域Ｒｇ１が設けられている。裏面１１ｂは、基板１１において、主面１１ａと反対側に設けられる。
【００５９】
遮光部材Ｘ１は、基板１１の裏面１１ｂに設けられる。具体的には、閉ループ状（枠状）の遮光部材Ｘ１は、基板１１の裏面１１ｂの周縁部に設けられる。すなわち、遮光部材Ｘ１は、平面視（ＸＹ面）において、表示領域Ｒｇ１を囲むように設けられる。周辺領域Ｒｇ２は、平面視（ＸＹ面）において、表示パネル１０のうち、遮光部材Ｘ１が存在する領域である。
【００６０】
また、光源装置２０の筐体２１Ｆは、上面２１Ｆｕと、側面２１Ｆｓとを有する。遮光部材Ｘ１は、上面２１Ｆｕを覆うように設けられる。
【００６１】
基板１１は、側面１１ｓを有する。基板１２は、側面１２ｓを有する。平面視（ＸＹ面）において、側面１２ｓのうち基板１１と重なる部分が周辺領域Ｒｇ２に設けられるように、基板１２は構成される。
【００６２】
また、平面視（ＸＹ面）において、基板１２の側面１２ｓは、基板１１の側面１１ｓより、表示領域Ｒｇ１に近い。具体的には、平面視（ＸＹ面）において、周辺領域Ｒｇ２内では、基板１１の側面１１ｓが、基板１２の側面１２ｓよりも、表示領域Ｒｇ１の外側に向かって突出している。
【００６３】
このような基板１１，１２の構成により、表示パネル１０に段差部（凹部）が形成される。当該段差部は、基板１２の側面１２ｓと、基板１１の裏面１１ｂの端部とにより構成される。
【００６４】
表示パネル１０が、筐体２１Ｆに取付けられる際、表示パネル１０の段差部（凹部）に、筐体２１Ｆの上部が配置される。以下においては、段差部に、筐体２１Ｆの上部が配置された状態を、「筐体配置状態」ともいう。
【００６５】
シール材ＳＬ１は、図３のように、遮光部材Ｘ１と基板１２とに接着するように、遮光部材Ｘ１と基板１２との間に設けられる。これにより、基板１２は、シール材ＳＬ１および遮光部材Ｘ１を介して、基板１１の裏面１１ｂに固定される。すなわち、基板１２は、基板１１の裏面１１ｂに固定される。なお、シール材ＳＬ１が表示領域Ｒｇ１に存在しないように、シール材ＳＬ１は、平面視（ＸＹ面）において、周辺領域Ｒｇ２内のみに設けられる。
【００６６】
また、表示装置１００は、基板１２に筐体２１Ｆを固定させるための固定構造Ｓｔ１を有する。固定構造Ｓｔ１は、平面視（ＸＹ面）において、表示パネル１０のうち、遮光部材Ｘ１が存在する領域（周辺領域Ｒｇ２）のみに設けられる。
【００６７】
固定構造Ｓｔ１は、構造Ｓｔ１ａと、構造Ｓｔ１ｂとを有する。構造Ｓｔ１ａは、図３のように、筐体２１Ｆが、接着部材５０を介して、基板１２の側面１２ｓに接着される構造である。なお、筐体配置状態において、筐体２１Ｆの側面２１Ｆｓの上部は、基板１２の側面１２ｓと対向する。すなわち、基板１２の側面１２ｓ全体は、光を透過させない筐体２１Ｆの側面２１Ｆｓで覆われる。
【００６８】
具体的には、構造Ｓｔ１ａでは、筐体２１Ｆの側面２１Ｆｓの上部が、接着部材５０を介して、基板１２の側面１２ｓに接着される。
【００６９】
また、構造Ｓｔ１ｂは、筐体２１Ｆが、接着部材５０を介して、遮光部材Ｘ１に接着される構造である。なお、表示パネル１０に、前述の段差部が形成されることにより、筐体配置状態において、筐体２１Ｆの上面２１Ｆｕは、遮光部材Ｘ１と対向する。
【００７０】
具体的には、構造Ｓｔ１ｂでは、筐体２１Ｆの上面２１Ｆｕが、接着部材５０を介して、遮光部材Ｘ１に接着される。
【００７１】
以上の構造Ｓｔ１ａおよび構造Ｓｔ１ｂにより、光源装置２０の筐体２１Ｆは、表示パネル１０を保持する。
【００７２】
以上説明したように、本実施の形態によれば、遮光部材Ｘ１は、平面視（ＸＹ面）において、表示領域Ｒｇ１を囲むように設けられる。表示装置１００は、基板１２に筐体２１Ｆを固定させるための固定構造Ｓｔ１を有する。固定構造Ｓｔ１は、平面視（ＸＹ面）において、表示パネル１０のうち、遮光部材Ｘ１が存在する周辺領域Ｒｇ２のみに設けられる。
【００７３】
これにより、遮光部材Ｘ１の幅を狭くすることにより、表示領域Ｒｇ１の周辺部の幅を狭くすることができる。すなわち、遮光部材Ｘ１が設けられる、表示領域Ｒｇ１の周辺部の狭小化を実現可能な構成を有する表示装置１００を提供することができる。
【００７４】
また、本実施の形態によれば、表示パネル１０に段差部（凹部）が形成される。そのため、表示パネル１０の段差部（凹部）に筐体２１Ｆの上部を配置する場合、当該段差部により、筐体２１Ｆの位置決めを容易に行うことができる。そのため、表示装置１００の組立て性を向上させることができる。
【００７５】
また、本実施の形態によれば、表示パネル１０に段差部（凹部）が形成されことにより、接着部材５０を配置するための領域が増加する。当該段差部を利用して、前述の構造Ｓｔ１ａおよび前述の構造Ｓｔ１ｂが実現されるため、筐体２１Ｆを表示パネル１０に強固に固定することができる。そのため、表示パネル１０について、耐振動性の向上、耐衝撃性の向上等を実現できる。すなわち、表示パネル１０に対する、筐体２１Ｆの取付けの強度を確保することができる。
【００７６】
また、本実施の形態によれば、段差部（凹部）は、平面視（ＸＹ面）において、遮光部材Ｘ１が設けられる周辺領域Ｒｇ２のみに形成される。そのため、遮光部材Ｘ１の幅を狭くすることにより、表示領域Ｒｇ１の周辺部（額縁）の狭小化を実現することができる。すなわち、表示パネル１０の狭額縁化を実現することができる。
【００７７】
また、本実施の形態によれば、基板１２の側面１２ｓ全体は、光を透過させない筐体２１Ｆの側面２１Ｆｓで覆われる。そのため、筐体２１Ｆの側面２１Ｆｓは、基板１２の側面１２ｓから出射される光を遮ることができる。そのため、本実施の形態によれば、光漏れを防ぐことができる。
【００７８】
なお、一般的な表示装置は、当該表示装置の表示パネルの周縁部を支える筐体を含む。以下においては、筐体のうち、表示パネルの周縁部を支える部分を、「支え部」ともいう。平面視における、筐体の支え部のサイズが大きい程、表示パネルのサイズに対する、表示領域のサイズの割合が小さくなる。そのため、狭額縁の表示装置では、筐体の支え部を、できるかぎり薄くし、表示領域を大きくする必要がある。
【００７９】
しかし、支え部を薄くした場合、以下の不具合Ａが発生する。当該不具合Ａは、例えば、当該支え部の強度が弱くなるという不具合である。支え部の強度が弱くなると、筐体の位置決めが困難になる。また、当該不具合Ａは、表示パネルの側面から光漏れが発生するという不具合である。
【００８０】
特に、表示装置の用途が、車載用途、産業用途等である場合、耐振動性、耐衝撃性等が求められる。そのため、耐振動性および耐衝撃性を有しつつ、光漏れ対策も盛り込んだ表示装置が求められる。
【００８１】
前述の関連技術Ａでは、表示パネルの角部に孔が設けられる。具体的には、関連技術Ａでは、表示パネルのシールの外側に存在する絶縁性基板に、部材を取付けるための孔が設けられる。そのため、表示パネルの外形が大きくなるという問題がある。
【００８２】
また、前述の関連技術Ｂでは、表示パネルの角部に切欠きが設けられる。具体的には、関連技術Ｂでは、表示パネルを支持するフレームは、柱状部を有する。当該柱状部は、切欠きが設けられることにより発生した領域内に設けられる。これにより、表示装置の大型化が抑制される。
【００８３】
しかしながら、関連技術Ｂでは、柱状部が形成されていない部分から光漏れが発生する場合がある。さらに、関連技術Ｂでは、表示パネルを支える柱状部が薄く、かつ、当該柱状部の形状が柱状である。そのため、表示装置に対し、振動、衝撃等が加わった際に、柱状部が破損する場合がある。柱状部が破損した場合、表示装置が故障する可能性が高い。
【００８４】
以上のような関連技術Ａ、Ｂでは、例えば、筐体の位置決めが困難であるという問題がある。また、表示装置の耐振動性、耐衝撃性が不十分であるという問題がある。
【００８５】
また、表示パネルの狭額縁化を実現する場合、従来の表示装置では、表示パネルの支え部の厚さを薄くする必要がある。支え部の厚さを薄くした場合、表示装置の耐振動性、耐衝撃性等が不足する。そのため、筐体の位置決めが不十分となり、表示パネルの側面から光漏れが発生するという問題がある。
【００８６】
そこで、本実施の形態の表示装置１００は上記のように構成される。そのため、当該表示装置１００は、上記の各問題を解決することができる。
【００８７】
＜実施の形態２＞
本実施の形態の構成は、嵌合を利用した構成（以下、「変形構成Ｃｔ２」ともいう）である。以下においては、変形構成Ｃｔ２が適用された表示装置を、「表示装置１００Ａ」ともいう。
【００８８】
図４は、本発明の実施の形態２に係る表示装置１００Ａの構成を示す断面図である。図４は、図３の構成が設けられる位置と同じ位置における表示装置１００Ａの構成を示す。すなわち、図４は、図２のＡ１−Ａ２線に沿った、変形構成Ｃｔ２が適用された表示装置１００Ａの断面図である。
【００８９】
表示装置１００Ａは、図３の表示装置１００と比較して、表示パネル１０の代わりに表示パネル１０Ａを備える点と、光源装置２０の代わりに光源装置２０Ａを備える点とが異なる。また、表示装置１００Ａは、図３の表示装置１００と比較して、固定構造Ｓｔ１の代わりに固定構造Ｓｔ２を有する。表示装置１００Ａのそれ以外の構成は、表示装置１００と同様なので詳細な説明は繰り返さない。
【００９０】
表示パネル１０Ａは、表示パネル１０と比較して、基板１２の代わりに基板１２Ａを含む点が異なる。表示パネル１０Ａのそれ以外の構成は、表示パネル１０と同様なので詳細な説明は繰り返さない。
【００９１】
基板１２Ａは、基板１２と比較して、側面１２ｓに凹部Ｖ１が設けられている点が異なる。基板１２Ａのそれ以外の構成は、基板１２と同様なので詳細な説明は繰り返さない。
【００９２】
光源装置２０Ａは、光源装置２０と比較して、筐体２１Ｆの代わりに筐体２１ＦＡを含む点が異なる。光源装置２０Ａのそれ以外の構成は、光源装置２０と同様なので詳細な説明は繰り返さない。
【００９３】
筐体２１ＦＡは、筐体２１Ｆと比較して、側面２１Ｆｓに突起Ｋ１が設けられている点が異なる。筐体２１ＦＡのそれ以外の構成は、筐体２１Ｆと同様なので詳細な説明は繰り返さない。
【００９４】
以下においては、筐体２１ＦＡの側面２１Ｆｓのうち、基板１２Ａの側面１２ｓと対向する面を、「基板対向面」ともいう。図４を参照して、基板対向面は、側面２１Ｆｓの上部である。すなわち、筐体２１ＦＡは、基板対向面を有する。
【００９５】
変形構成Ｃｔ２では、基板１２Ａの側面１２ｓには、凹部Ｖ１が設けられている。また、筐体２１ＦＡの基板対向面（側面２１Ｆｓ）には、突起Ｋ１が設けられている。突起Ｋ１および凹部Ｖ１の各々は、突起Ｋ１が凹部Ｖ１に篏合するように、構成される。すなわち、基板対向面（側面２１Ｆｓ）の突起Ｋ１は凹部Ｖ１と篏合する。
【００９６】
表示装置１００Ａが有する固定構造Ｓｔ２は、基板１２Ａに筐体２１ＦＡを固定させるための構造である。固定構造Ｓｔ２は、平面視（ＸＹ面）において、表示パネル１０Ａのうち、遮光部材Ｘ１が存在する領域（周辺領域Ｒｇ２）のみに設けられる。
【００９７】
固定構造Ｓｔ２は、構造Ｓｔ２ａと、構造Ｓｔ２ｂとを有する。構造Ｓｔ２ａは、図４のように、突起Ｋ１が凹部Ｖ１に篏合する構造である。構造Ｓｔ２ｂは、筐体２１ＦＡが、接着部材５０を介して、遮光部材Ｘ１に接着される構造である。具体的には、構造Ｓｔ２ｂでは、筐体２１ＦＡの上面２１Ｆｕが、接着部材５０を介して、遮光部材Ｘ１に接着される。
【００９８】
以上の構造Ｓｔ２ａおよび構造Ｓｔ２ｂにより、光源装置２０Ａの筐体２１ＦＡは、表示パネル１０Ａを保持する。
【００９９】
なお、固定構造Ｓｔ２は、構造Ｓｔ２ｂを有さず、構造Ｓｔ２ａのみを有してもよい。
【０１００】
以上説明したように、本実施の形態によれば、筐体２１ＦＡを表示パネル１０Ａに固定する際、基板１２Ａの側面１２ｓに接着部材５０を設ける必要がない。そのため、接着部材５０の使用量を削減することができる。また、表示装置１００Ａは、突起Ｋ１が凹部Ｖ１に篏合する構造Ｓｔ２ａを有する。そのため、構造Ｓｔ２ａを利用することにより、筐体２１ＦＡを表示パネル１０Ａに容易に固定することができる。すなわち、表示装置１００Ａの組立て性を向上させることができる。なお、本実施の形態においても、実施の形態１と同様な効果が得られる。
【０１０１】
＜実施の形態３＞
本実施の形態の構成は、凹部を利用した構成（以下、「変形構成Ｃｔ３」ともいう）である。以下においては、変形構成Ｃｔ３が適用された表示装置を、「表示装置１００Ｂ」ともいう。
【０１０２】
図５は、本発明の実施の形態３に係る表示装置１００Ｂの構成を示す断面図である。図５は、図３の構成が設けられる位置と同じ位置における表示装置１００Ｂの構成を示す。すなわち、図５は、図２のＡ１−Ａ２線に沿った、変形構成Ｃｔ３が適用された表示装置１００Ｂの断面図である。
【０１０３】
表示装置１００Ｂは、図３の表示装置１００と比較して、表示パネル１０の代わりに表示パネル１０Ｂを備える点と、光源装置２０の代わりに光源装置２０Ｂを備える点とが異なる。また、表示装置１００Ｂは、図３の表示装置１００と比較して、固定構造Ｓｔ１の代わりに固定構造Ｓｔ３を有する。表示装置１００Ｂのそれ以外の構成は、表示装置１００と同様なので詳細な説明は繰り返さない。
【０１０４】
表示パネル１０Ｂは、表示パネル１０と比較して、基板１２の代わりに基板１２Ｂを含む点が異なる。表示パネル１０Ｂのそれ以外の構成は、表示パネル１０と同様なので詳細な説明は繰り返さない。
【０１０５】
基板１２Ｂは、基板１２と比較して、基板１２Ｂの端部に、凹部Ｖ２が設けられている点が異なる。なお、平面視（ＸＹ面）において、基板１２の側面１２ｓの位置は、基板１１の側面１１ｓの位置と同じである。すなわち、変形構成Ｃｔ３では、平面視（ＸＹ面）において、周辺領域Ｒｇ２内では、基板１１の側面１１ｓが、基板１２Ｂの側面１２ｓよりも、表示領域Ｒｇ１の外側に向かって突出していない。基板１２Ｂのそれ以外の構成は、基板１２と同様なので詳細な説明は繰り返さない。
【０１０６】
基板１２Ｂは、裏面１２Ｂｂを有する。裏面１２Ｂｂは、光源装置２０Ｂが出射する光が照射される面である。
【０１０７】
光源装置２０Ｂは、光源装置２０と比較して、筐体２１Ｆの代わりに筐体２１ＦＢを含む点が異なる。光源装置２０Ｂのそれ以外の構成は、光源装置２０と同様なので詳細な説明は繰り返さない。
【０１０８】
筐体２１ＦＢの高さは、図３の筐体２１Ｆの高さより低い。筐体２１ＦＢのそれ以外の構成は、筐体２１Ｆと同様なので詳細な説明は繰り返さない。
【０１０９】
変形構成Ｃｔ３では、基板１２Ｂの裏面１２Ｂｂ側に、凹部Ｖ２が設けられている。また、凹部Ｖ２は、基板１２Ｂの端部に設けられている。平面視（ＸＹ面）における、凹部Ｖ２の形状は、閉ループ状（枠状）である。凹部Ｖ２は、当該凹部Ｖ２に筐体２１ＦＢの上部が入るように、構成される。
【０１１０】
また、変形構成Ｃｔ３では、シール材ＳＬ１は、図５のように、遮光部材Ｘ１と、基板１２Ｂの端部とに接着するように、遮光部材Ｘ１と基板１２Ｂの端部との間に設けられる。すなわち、シール材ＳＬ１は、表示パネル１０Ｂの最外周部に設けられる。
【０１１１】
表示装置１００Ｂが有する固定構造Ｓｔ３は、基板１２Ｂに筐体２１ＦＢを固定させるための構造である。固定構造Ｓｔ３は、平面視（ＸＹ面）において、表示パネル１０Ｂのうち、遮光部材Ｘ１が存在する領域（周辺領域Ｒｇ２）のみに設けられる。
【０１１２】
固定構造Ｓｔ３は、構造Ｓｔ３ａを有する。構造Ｓｔ３ａは、図５のように、筐体２１ＦＢが、接着部材５０を介して、基板１２Ｂの凹部Ｖ２に接着される構造である。具体的には、構造Ｓｔ３ａでは、筐体２１ＦＢの上面２１Ｆｕが、接着部材５０を介して、基板１２Ｂの凹部Ｖ２に接着される。また、構造Ｓｔ３ａでは、筐体２１ＦＢの側面２１Ｆｓの上部が、接着部材５０を介して、基板１２Ｂの凹部Ｖ２に接着される。すなわち、筐体２１ＦＢの上部が、接着部材５０を介して、基板１２Ｂの凹部Ｖ２に接着される。
【０１１３】
以上の構造Ｓｔ３ａにより、光源装置２０Ｂの筐体２１ＦＢは、表示パネル１０Ｂを保持する。
【０１１４】
以上説明したように、本実施の形態の固定構造Ｓｔ３によれば、実施の形態１と同様な効果が得られる。また、固定構造Ｓｔ３では、シール材ＳＬ１は、表示パネル１０Ｂの最外周部に設けられる。そのため、平面視（ＸＹ面）において、表示パネル１０Ｂのうち、遮光部材Ｘ１が存在する周辺領域Ｒｇ２の面積を小さくすることができる。したがって、表示領域Ｒｇ１のサイズを拡大することができる。これにより、本実施の形態では、表示領域Ｒｇ１の周辺部（額縁）を、実施の形態１，２の構成よりも、狭くすることができる。
【０１１５】
なお、本発明は、その発明の範囲内において、各実施の形態を自由に組み合わせたり、各実施の形態を適宜、変形、省略することが可能である。
【符号の説明】
【０１１６】
３，２１Ｂ，２１Ｆ，２１ＦＡ，２１ＦＢ  筐体、１０，１０Ａ，１０Ｂ  表示パネル、１１，１２，１２Ａ，１２Ｂ  基板、２０，２０Ａ，２０Ｂ  光源装置、１００，１００Ａ，１００Ｂ  表示装置、Ｋ１  突起、Ｖ１，Ｖ２  凹部。
【図１】
0006735565.tif 000002
【図２】
0006735565.tif 000003
【図３】
0006735565.tif 000004
【図４】
0006735565.tif 000005
【図５】
0006735565.tif 000006